(57)【要約】      （修正有）【課題】コストが低く簡素な構造によって、外出先であってもその場で鍵をかけたことを容易に確認することができる鍵付属品を提供する。【解決手段】鍵５の把持部の表面に取り付けられる鍵付属品１であって、ユーザによる鍵５の施錠動作時の把持力によって変形する変形部材２と、変形部材２を、把持力によって変形した変形後の形状から、変形前の形状に復帰させる復帰部材３と、を備える。【選択図】図１
0003221283.tif 000002
【実用新案登録請求の範囲】
【請求項１】
鍵の把持部の表面に取り付けられる鍵付属品であって、
ユーザによる前記鍵の施錠動作時の把持力によって変形する変形部材と、
前記変形部材を、前記把持力によって変形した変形後の形状から、変形前の形状に復帰させる復帰部材と、
を備える鍵付属品。
【請求項２】
前記変形部材は、曲面を有しており、前記変形前の形状が前記鍵の前記把持部の表面に対して外側に凸となる形状であり、前記変形後の形状が前記鍵の前記把持部の表面に対して内側に凸となる形状である請求項１に記載の鍵付属品。
【請求項３】
前記変形部材は、金属部材である請求項１又は２に記載の鍵付属品。
【請求項４】
前記復帰部材は、前記変形後の形状の前記変形部材に対して、前記ユーザによる押圧力を伝達することによって変形前の形状に復帰させる請求項２に記載の鍵付属品。
【請求項５】
前記復帰部材は、ゲル状材料によって構成されており、前記ユーザによる押圧力が前記ゲル状材料を介して前記変形部材の内側に凸となる形状を外側に凸となる形状に押し上げる力として伝達される構造となっている請求項４に記載の鍵付属品。
【請求項６】
前記復帰部材は、前記変形部材と前記鍵の前記把持部との間に配置され、前記ユーザによる押圧力によって前記復帰部材が前記変形部材の中心方向へ移動することによって、前記変形部材の内側に凸となる形状を外側に凸となる形状に押し上げる力として伝達される構造となっている請求項４に記載の鍵付属品。
【請求項７】
前記復帰部材が前記変形部材の中心から離れる方向に力を印加する復帰バネをさらに備える請求項６に記載の鍵付属品。
【考案の詳細な説明】
【技術分野】
【０００１】
本考案は鍵付属品に関する。
【背景技術】
【０００２】
従来、外出した際に鍵をかけたのか忘れてしまった場合、その場で鍵をかけたことを確認することができず、不安にかられたり、家に確認をするために戻ることがある。
【０００３】
特許文献１には、把持部の内部に移動可能に備えた小球の位置を確認することで施錠したことを確認できる施錠確認表示機能付き鍵が提案されている。
【先行技術文献】
【特許文献】
【０００４】
【特許文献１】特開２００８−２６７１１１号公報
【考案の概要】
【考案が解決しようとする課題】
【０００５】
しかしながら、特許文献１に開示されている鍵は、鍵穴への抜き差しに伴って移動するスライダ、スライダの移動に伴って移動するリンク機構、および、リンク機構の変形に応じて移動することによって小球の移動を制御するロックスライド、などの複雑な構造を有している。よって、コストの増大を招くとともに、作動不良などの故障が生じるリスクも高くなっている。
【０００６】
本考案の一態様は、上述の事情に鑑みてなされたものであり、コストが低く簡素な構造によって、外出先であってもその場で鍵をかけたことを容易に確認することができる鍵付属品を提供することを目的とする。
【課題を解決するための手段】
【０００７】
上記の課題を解決するために、本考案の一態様に係る鍵付属品は、鍵の把持部の表面に取り付けられる鍵付属品であって、ユーザによる前記鍵の施錠動作時の把持力によって変形する変形部材と、前記変形部材を、前記把持力によって変形した変形後の形状から、変形前の形状に復帰させる復帰部材と、を備える。
【０００８】
上記の構成によれば、鍵を施錠するために鍵の把持部を把持することによって、変形部材の形状が変形する。よって、単純な構造の変形部材の形状を確認することにより、外出先であってもその場で鍵をかけたことを容易に確認することができる。
【０００９】
また、上記構成によれば、変形部材の形状を元に戻すことができるため、当該鍵付属品を繰り返し使用することができる。
【００１０】
また、本考案の一態様に係る鍵付属品は、前記変形部材は、曲面を有しており、前記変形前の形状が前記鍵の前記把持部の表面に対して外側に凸となる形状であり、前記変形後の形状が前記鍵の前記把持部の表面に対して内側に凸となる形状であってもよい。当該構成によれば、単純な構造によって、施錠動作時の把持力による変形が生じる部材を実現することができる。
【００１１】
また、本考案の一態様に係る鍵付属品は、前記変形部材は、金属部材であってもよい。当該構成によれば、変形部材の変形および復帰を金属の弾性によって実現することができる。
【００１２】
また、本考案の一態様に係る鍵付属品は、前記復帰部材は、前記変形後の形状の前記変形部材に対して、前記ユーザによる押圧力を伝達することによって変形前の形状に復帰させてもよい。当該構成によれば、変形部材の形状を容易に元に戻すことができ、鍵をかけたことを確認するために鍵付属品を繰り返し使用することができる。
【００１３】
また、本考案の一態様に係る鍵付属品は、前記復帰部材は、ゲル状材料によって構成されており、前記ユーザによる押圧力が前記ゲル状材料を介して前記変形部材の内側に凸となる形状を外側に凸となる形状に押し上げる力として伝達される構造となっていてもよい。当該構成によれば、簡略な復帰部材の構成でもって、変形部材の形状を容易に元に戻すことができる。
【００１４】
また、本考案の一態様に係る鍵付属品は、前記復帰部材は、前記変形部材と前記鍵の前記把持部との間に配置され、前記ユーザによる押圧力によって前記復帰部材が前記変形部材の中心方向へ移動することによって、前記変形部材の内側に凸となる形状を外側に凸となる形状に押し上げる力として伝達される構造となっていてもよい。当該構成によれば、変形部材の形状を容易に元に戻すことができる。
【００１５】
また、本考案の一態様に係る鍵付属品は、前記復帰部材が前記変形部材の中心から離れる方向に力を印加する復帰バネをさらに備えていてもよい。当該構成によれば、中心方向へ移動した復帰部材が自然と元の状態に戻るため、鍵付属品の繰り返しの使用がより容易となる。
【考案の効果】
【００１６】
本考案によれば、コストが低く簡素な構造によって、外出先であってもその場で鍵をかけたことを容易に確認することができる。
【図面の簡単な説明】
【００１７】
【図１】（ａ）は、本考案の実施形態１に係る鍵付属品の構成を鍵と共に模式的に示した平面図であり、（ｂ）は、（ａ）に示したＡ−Ａ矢視線に沿った断面の矢視断面図である。
【図２】本考案の実施形態１に係る変形部材の形状の変形方法を模式的に示した側面図であり、（ａ）は、変形前の変形部材の形状を示し、（ｂ）は、変形後の変形部材の形状を示す。
【図３】本考案の実施形態１に係る変形部材の形状の復帰方法を模式的に示した側面図であり、（ａ）は、復帰前の変形部材の形状を示し、（ｂ）は、復帰後の変形部材の形状を示す。
【図４】本考案の実施形態１に係る鍵付属品の変形例を模式的に示した平面図である。
【図５】（ａ）は、本考案の実施形態２に係る鍵付属品の構成を模式的に示した平面図であり、（ｂ）は、（ａ）に示したＢ−Ｂ矢視線に沿った断面の矢視断面図である。
【図６】本考案の実施形態２に係る変形部材の形状の変形方法を模式的に示した側面図であり、（ａ）は、変形前の変形部材の形状を示し、（ｂ）は、変形後の変形部材の形状を示す。
【図７】本考案の実施形態２に係る変形部材の形状の復帰方法を模式的に示した側面図であり、（ａ）は、復帰前の変形部材の形状を示し、（ｂ）は、復帰後の変形部材の形状を示す。
【考案を実施するための形態】
【００１８】
以下、本考案の一側面に係る実施形態（以下、「本実施形態」とも表記する）を、図面に基づいて説明する。
【００１９】
［第１の実施形態］
（鍵付属品の構成）
まず、図１を参照して、本考案の第１の実施形態に係る鍵付属品の構成について説明する。図１の（ａ）は、本考案の実施形態１に係る鍵付属品の構成を模式的に示した平面図であり、図１の（ｂ）は、図１の（ａ）に示したＡ−Ａ矢視線に沿った断面の矢視断面図である。
【００２０】
図１に示すように、本実施形態に係る鍵付属品１は、変形部材２と、復帰部材３と、カバー４とを備えている。鍵付属品１は、鍵の施錠動作時にユーザによって変形部材２が把持されるように、鍵５の把持部の表面に取り付けられる。より具体的には、鍵付属品１は、鍵５を鍵付属品１で覆った際に、鍵付属品１の一方の表面側において、鍵５、カバー４、復帰部材３、変形部材２の順となるように、かつ鍵付属品の他方の表面側において、鍵５、カバー４の順となるように、カバー４、復帰部材３および変形部材２が配置されている。なお、図１において、鍵付属品１の片面側に変形部材２及び復帰部材３が配置される構成を図示したが、本実施形態に係る鍵付属品１はそれに限定されず、鍵付属品１の両面側にそれぞれ変形部材２及び復帰部材３を配置する構成であってもよい。
【００２１】
変形部材２は、外部から受けた圧力によってその形状が変形する構成である。具体的には、変形部材２は、ユーザが鍵の施錠を行う際、その施錠動作時のユーザによる把持力によって、その形状が変形する。また、変形部材２は、ユーザによる把持によって変形した変形後の形状は、後述する復帰操作がなされない限り、変形後の形状を保持する構成である。変形部材２は、変形前の形状が鍵５の把持部の表面に対して外側に凸となる曲面を有する形状であり、変形後の形状が鍵５の把持部の表面に対して内側に凸となる曲面を有する形状である。変形部材２は、変形後の変形部材２の曲面が復帰部材３に接するように変形する。なお、本実施形態における変形部材２は板バネによって構成されているが、鍵の施錠動作時のユーザの把持力によって変形し、変形後の形状を保持する構成であれば特に限定はない。また、本実施形態における変形部材２の平面形状は図１に示す通り円板状であるが、変形部材２の平面形状は、鍵の施錠動作時のユーザの把持力によって変形し、変形後の形状を保持する構成であれば特に限定はない。また、本実施形態における変形部材２は金属部材によって構成されているが、鍵の施錠動作時のユーザの把持力によって変形し、変形後の形状を保持する構成であれば、その材質に特に制限はない。変形部材２の形状の変形方法については後述する。
【００２２】
復帰部材３は、復帰部材３の外部から受けた圧力を変形部材２に伝達する構成である。復帰部材３は、ユーザによる押圧力を受けた際に、ユーザの把持力によって変形した変形部材２に対して、当該押圧力を伝達する。復帰部材３は、変形後の変形部材２に対して押圧力を伝達することによって、変形部材２を変形前の形状に復帰させる。より具体的には、復帰部材３は、ユーザによる押圧力を、変形部材２の内側に凸となっている形状を外側に凸となる形状に押し上げる力として伝達する。本実施形態における復帰部材３は、ゲル状材料から構成することにより、ユーザによる押圧力を変形部材２に伝達する構成を実現している。本実施形態における復帰部材３は、例えば、振動パッドを用いてもよい。しかしながら、本実施形態における復帰部材３は、ユーザからの押圧力を変形部材２に伝達する構成であれば、その構成は特に限定されない。変形部材２の形状の復帰方法については後述する。
【００２３】
カバー４は、鍵付属品１を鍵５の把持部の表面に取り付けるための構成であり、本実施形態においては、鍵５の把持部に被せて覆うような構造となっている。カバー４の表面には、変形部材２及び復帰部材３が配置されている。
【００２４】
なお、図１の（ｂ）において、カバー４の表面の一部に復帰部材３が埋め込まれた鍵付属品１の構成を図示したが、本実施形態に係る鍵付属品１はそれに限定されず、カバー４の全体を復帰部材３とする構成であってもよく、カバー４の表面の外側に復帰部材３を配置する構成であってもよい。
【００２５】
（変形部材２の変形方法）
以下では、図２を参照して、変形部材２の変形方法について説明する。
【００２６】
図２の（ａ）は、変形前の変形部材２を模式的に示した側面図であり、図２の（ｂ）は、変形後の変形部材２を模式的に示した側面図である。なお、図示は省略するが、復帰部材３に対して変形部材２とは反対側に鍵５は位置している。
【００２７】
図２の（ａ）に示すように、変形部材２の変形前の形状は、鍵５の把持部の表面に対して外側に凸となる形状である。変形部材２は、鍵付属品１を取り付けた鍵５によってユーザが施錠動作を行う際に、変形部材２の凸面に対して、復帰部材３側に向かう施錠動作時の把持力Ｆ１が与えられる。これにより、図２の（ｂ）に示すように、変形部材２は、鍵５の把持部の表面に対して内側に凸となる形状に変形する。なお、変形部材２は、変形後の変形部材２の凸面が復帰部材３に接するように変形する。
【００２８】
このように、本実施形態に係る鍵付属品１を取り付けた鍵を用いて施錠することで、鍵付属品１の変形部材２の形状が変形する。そのため、外出先であっても変形部材２の形状を確認することによって、鍵をかけたことをその場で容易に確認することができる。
【００２９】
なお、鍵をかけたことを確認する方法としては、例えば、ユーザが変形部材２の表面を触り、変形部材２の表面の凹凸形状を確認することによって、鍵をかけたことを確認してもよい。
【００３０】
また、変形部材２を着色し、変形部材２の色が内側に凸となる形状と外側に凸となる形状とで視覚的に色の濃淡が変化するように変形部材２を構成してもよい。この場合、外側に凸となる形状では着色面が拡大することによって色が薄くなる一方、内側に凸となる形状では着色面が圧縮されることによって色が濃くなる。これにより、ユーザが変形部材２の色を視認することによって鍵をかけたことを確認することが可能となる。なお、着色面を保護するために、着色面に半透明のカバーを設けてもよい。
【００３１】
また、視覚的に色の濃淡が変化するような別の構成として、半透明のカバーが変形部材２と連動密着しない構成とし、カバーと変形部材２との距離によって視覚的に色の濃淡が変化するようにしてもよい。具体的に説明すれば、カバーを変形部材２と連動密着させないことで、変形部材２が内側に凸となる形状では、変形部材２とカバーとの間に内部空間が生じる。カバーと変形部材２との距離が遠くなることによって、着色された変形部材２の色が薄く見えるようになる。一方、変形部材２が外側に凸となる形状では、カバーと変形部材２とが密着する。カバーと変形部材２との距離が近くなることによって、変形部材２の色が濃く見えるようになる。これにより、ユーザが変形部材２の色を視認することによって鍵をかけたことを確認することが可能となる。
【００３２】
（変形部材２の復帰方法）
以下では、図３を参照して、変形部材２の復帰方法について説明する。
【００３３】
図３の（ａ）は、復帰前の変形部材２を模式的に示した側面図であり、図３の（ｂ）は、復帰後の変形部材２を模式的に示した側面図である。
【００３４】
図３の（ａ）に示すように、復帰部材３は、復帰部材３の側面をユーザが両側から挟むことにより、ユーザからの押圧力Ｆ２が与えられる。復帰部材３は、ユーザによる押圧力Ｆ２を変形部材２に伝達する。これにより、変形部材２に対して、内側に向かって凸となっていた変形部材２の凸面を外側の凸となる形状に押し上げるための押上力Ｆ３が加えられる。これにより、図３の（ｂ）に示すように、変形部材２が変形前の形状に復帰させられる。また、復帰部材３がゲル状材料から構成されているため、変形部材２の形状の復帰のために復帰部材３を押圧したあと、復帰部材３は自然と元の状態に戻ることになる。
【００３５】
このように、本実施形態に係る鍵付属品１は、復帰部材３を用いて変形部材２の形状を変形前の形状に復帰できるため、鍵をかけたことの確認のために本実施形態に係る鍵付属品１を繰り返し使用することができる。
【００３６】
（鍵付属品１の使用例）
以下に、本実施形態に係る鍵付属品１の使用例を説明する。
【００３７】
＜外出時＞
ユーザは、鍵付属品１で鍵５の把持部を覆った鍵５を用いて鍵の施錠操作を行う。これにより、鍵付属品１に設けられた変形部材２が、外側に凸となる形状から内側に凸となる形状となる。
【００３８】
＜外出先＞
ユーザは、鍵付属品１に設けられた変形部材２を確認することによって、鍵をかけたことの確認を行う。ユーザは、鍵をかけたことを確認した後に、復帰部材３に押圧力を与えることによって、変形部材２の形状を内側に凸となる形状から外側に凸となる形状に戻してもよく、変形部材２の形状を内側に凸となる形状のままにしていてもよい。
【００３９】
＜帰宅時＞
ユーザは、鍵付属品１で鍵５の把持部を覆った鍵５を用いて鍵の開錠操作を行う。これにより、外出先において変形部材２の形状を外側に凸となる形状に戻していた場合であっても、変形部材２の形状が内側に凸となる形状となる。ユーザは、鍵の開錠操作を行った後に、復帰部材３に押圧力を与えることによって、変形部材２の形状を内側に凸となる形状から外側に凸となる形状に戻す。これにより、鍵をかけたことの確認のために本実施形態に係る鍵付属品１を繰り返し使用することができる。
【００４０】
（変形例）
本実施形態において、カバー４が鍵５の把持部を被せるように覆う構成について説明したが、本実施形態に係る鍵付属品１はそれに限定されず、鍵５の把持部を挟むように覆う構成であってもよい。
【００４１】
以下では、図４を参照して、本実施形態の変形例について説明する。
【００４２】
図４に示すように、変形例に係る鍵付属品１ａは、本実施形態に係る鍵付属品１において、カバー４に代えてカバー４ａを備えている。カバー４ａは、鍵５の挿入部を通すための開口４ａ１、及び鍵５の把持部を挟むように覆うための挟持部４ａ２、４ａ３を備えている。カバー４ａは、鍵５の挿入部を開口４ａ１に通した後に、挟持部４ａ２、４ａ３によって鍵５の把持部を挟むことによって、鍵５の把持部を覆う。ここで、カバー４ａは、変形部材２が鍵付属品１ａの表面に配置されるように、鍵５の把持部を覆っている。より具体的には、カバー４ａは、カバー４ａの挟持部４ａ２側の表面において、鍵５、カバー４ａ、復帰部材３、変形部材２の順となるように、鍵５の把持部を覆う。
【００４３】
［第２の実施形態］
次に、図５を参照して、本考案の第２の実施形態に係る鍵付属品１１の構成について説明する。図５の（ａ）は、本考案の実施形態２に係る鍵付属品の構成を模式的に示した平面図であり、図５の（ｂ）は、図５の（ａ）に示したＢ−Ｂ矢視線に沿った断面の矢視断面図である。本実施形態に係る鍵付属品１１は、第１の実施形態の鍵付属品１において、復帰部材３に代えて復帰部材１３及び復帰バネ１５を備える構成である。なお、本実施形態に係る鍵付属品１１が備える変形部材１２及びカバー１４は、第１の実施形態の鍵付属品が備える変形部材２及びカバー４に同様の構成であるため、その説明を省略する。
【００４４】
復帰部材１３は、復帰部材１３の外部から受けた圧力を変形部材１２に伝達する構成である。復帰部材１３は、変形部材１２に対向する面であって、鍵の把持部の表面に対して傾斜する、傾斜面を備えている。復帰部材１３は、変形部材１２が変形し内側に凸となる形状となった場合に、復帰部材１３の傾斜面が変形部材１２の凸面と接するように構成されている。より具体的には、復帰部材１３の傾斜面は、変形部材１２の端部から中心部に向かうにつれて、復帰部材１３と変形部材１２との距離が離れるように構成されている。なお、本明細書において、変形部材１２の中心部とは、変形部材を上面から見た際の中心部分のことを意図している。このような復帰部材１３が、変形部材１２の中心を通る直線上に、対向して２つ設けられている。復帰部材１３は、外側の端部から内側に向かうユーザによる押圧力を受けた際に、変形部材１２の中心方向へ移動する。本実施形態においては、当該押圧力の印加は、後述する復帰バネ１５を介して行われる。復帰部材１３は、中心方向へ移動することによって、変形部材１２の内側に向いた凸面を復帰部材１３の傾斜面で押し上げ、変形部材１２を変形前の形状に復帰させる。このように復帰部材１３は、変形後の変形部材１２に対して押圧力を伝達することによって、変形部材１２を変形前の形状に復帰させる。より具体的には、復帰部材１３は、ユーザによる押圧力を、変形部材１２の内側に凸となる形状から外側に凸となる形状に押し上げる力として伝達する。なお、復帰部材１３の形状は、上述した傾斜面を備える構成であれば特に制限はない。
【００４５】
復帰バネ１５は、円弧状の板バネであり、円弧の両端部の内側にそれぞれ復帰部材１３が取り付けられている。復帰バネ１５は、ユーザによって、円弧の内側に向かう押圧力を円弧状の端部に対して受けた際に、復帰部材１３を変形部材１２の中心方向に移動させる。また、復帰バネ１５は、ユーザによる押圧力より解放されると、元の状態に戻ろうとする。これにより、復帰部材１３に対して、変形部材１２の中心から離れる方向の力が印加される。これにより、ユーザによる押圧力より解放されると、復帰バネ１５により、復帰部材１３を所定の位置に戻すことができる。
【００４６】
（変形部材１２の変形方法）
以下では、図６を参照して、変形部材２の変形方法について説明する。
【００４７】
図６の（ａ）は、変形前の変形部材１２を模式的に示した側面図であり、図６の（ｂ）は、変形後の変形部材１２を模式的に示した側面図である。なお、図示は省略するが、復帰部材１３に対して変形部材１２とは反対側に鍵５は位置している。
【００４８】
図６の（ａ）に示すように、変形部材１２の変形前の形状は、鍵５の把持部の表面に対して外側に凸となる形状である。変形部材１２は、鍵付属品１１を取り付けた鍵５によってユーザが施錠動作を行う際に、変形部材１２の凸面に対して、復帰部材１３側に向かう施錠動作時の把持力Ｆ１１が与えられる。
【００４９】
これにより、図６の（ｂ）に示すように、変形部材１２は、鍵５の把持部の表面に対して内側に凸となる形状に変形する。なお、変形部材１２は、変形後の変形部材１２の凸面が復帰部材１３の傾斜面に接するように変形する。
【００５０】
このように、本実施形態に係る鍵付属品１１を取り付けた鍵を用いて施錠することで、鍵付属品１１の変形部材１２の形状が変形する。そのため、外出先であっても変形部材１２の形状を確認することによって、鍵をかけたことをその場で容易に確認することができる。
【００５１】
（変形部材１２の復帰方法）
以下では、図７を参照して、変形部材１２の復帰方法について説明する。
【００５２】
図７の（ａ）は、復帰前の変形部材１２を模式的に示した側面図であり、図７の（ｂ）は、復帰後の変形部材１２を模式的に示した側面図である。
【００５３】
図７の（ａ）に示すように、復帰バネ１５は、復帰バネ１５の円弧状の両端部をユーザが両側から挟むことにより、ユーザからの押圧力Ｆ１２が与えられる。復帰バネ１５は、ユーザによる押圧力を復帰部材１３に対して伝達することによって、復帰部材１３を変形部材１２の中心方向へ移動させる。これにより、復帰部材１３は、変形部材１２に対して、内側に凸となっていた変形部材１２の凸面を外側の凸となるように復帰部材１３の傾斜面で押し上げる。より具体的には、復帰部材１３は、復帰部材１３の傾斜面を介して、変形部材１２に対して、内側に凸となっていた変形部材１２の凸面を外側の凸となるように押し上げるための押上力Ｆ１３を加える。これにより、図７の（ｂ）に示すように、変形部材１２が変形前の形状に復帰させられる。また、復帰部材１３は、復帰バネ１５の円弧の両端部の内側にそれぞれ取り付けられているため、変形部材１２の形状の復帰のために復帰バネ１５を押圧したあと、押圧をやめると復帰バネ１５により、復帰部材１３を所定の位置に戻すことができる。
【００５４】
このように、本実施形態に係る鍵付属品１１は、復帰部材１３を用いて変形部材１２の形状を変形前の形状に復帰できるため、鍵をかけたことの確認のために本実施形態に係る鍵付属品１１を繰り返し使用することができる。
【符号の説明】
【００５５】
１  鍵付属品
２  変形部材
３  復帰部材
４  カバー
５  鍵
１１  鍵付属品
１２  変形部材
１３  復帰部材
１４  カバー
１５  復帰バネ
【図１】
0003221283.tif 000003
【図２】
0003221283.tif 000004
【図３】
0003221283.tif 000005
【図４】
0003221283.tif 000006
【図５】
0003221283.tif 000007
【図６】
0003221283.tif 000008
【図７】
0003221283.tif 000009